【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
オンライン・システムにおいて、前記オンライン・システムのユーザのプロフィールを記憶する工程であって、前記プロフィールは、前記ユーザの複数のクライアント・デバイスを識別する情報を含む、工程と、
前記ユーザに対し関連付けられている閲覧クライアント・デバイスに前記オンライン・システムから第１の通知を送信する工程であって、前記第１の通知は、アプリケーション・プロバイダによって提供されるアプリケーションに対する参照を含む、工程と、
前記ユーザの前記閲覧クライアント・デバイスから前記アプリケーションをインストールすることのリクエストを受信する工程と、
前記リクエストに応じて、前記ユーザから対話を受信することなく、前記オンライン・システムが、前記対話が受信された前記閲覧クライアント・デバイスが前記アプリケーションによってサポートされるデバイス・タイプを有するか否かを決定する工程と、
前記ユーザから対話を受信することなく前記オンライン・システムが前記対話が受信された前記閲覧クライアント・デバイスが前記アプリケーションによってサポートされる前記デバイスとは異なるデバイス・タイプを有すると決定することに応じて、前記ユーザから対話を受信することなく、前記オンライン・システムが、前記ユーザの受信クライアント・デバイスが前記ユーザのプロフィール情報に記憶されている前記ユーザの前記複数のクライアント・デバイスを用いる前記アプリケーションによってサポートされるデバイス・タイプを有すると識別する工程と、
前記ユーザから対話を受信することなく、前記オンライン・システムから前記受信クライアント・デバイスに第２の通知を送信する工程であって、前記第２の通知は、前記受信クライアント・デバイスに前記アプリケーションをインストールするためのリンクを含む、工程と、を備える方法。
【請求項２】
前記アプリケーションに対する前記参照は、前記アプリケーション・プロバイダに関連付けられているサードパーティ・ウェブサイトに対するリンクを含む、請求項１に記載の方法。
【請求項３】
前記受信クライアント・デバイスは、モバイル・デバイスである、請求項１に記載の方法。
【請求項４】
前記オンライン・システムのユーザとクライアント・デバイスとの間の関連付けは、前記クライアント・デバイスに関連付けられているタイプを示す、請求項１に記載の方法。
【請求項５】
前記オンライン・システムは、ソーシャル・ネットワーキング・システムである、請求項１に記載の方法。
【請求項６】
前記命令は、前記オンライン・システムに関連付けられており、かつ、前記受信クライアント・デバイス上で実行中であるアプリケーションによって実行されるように構成されている、請求項１に記載の方法。
【請求項７】
前記命令は、前記受信クライアント・デバイス上で実行中のネイティブ・アプリケーションによって実行されるように構成されている、請求項１に記載の方法。
【請求項８】
オンライン・システムにおいて、前記オンライン・システムのユーザのプロフィールを記憶する工程であって、前記プロフィールは、前記ユーザの複数のクライアント・デバイスのデバイス識別子を含む、工程と、
前記ユーザに対し関連付けられている閲覧クライアント・デバイスに前記オンライン・システムから第１の通知を送信する工程であって、前記第１の通知は、アプリケーション・プロバイダによって提供されるアプリケーションに対する参照を含む、工程と、
前記ユーザの前記閲覧クライアント・デバイスから前記アプリケーションをインストールすることのリクエストを受信する工程と、
前記リクエストに応じて、前記ユーザから対話を受信することなく、前記オンライン・システムが、前記対話が受信された前記閲覧クライアント・デバイスが前記アプリケーションによってサポートされるデバイス・タイプを有するか否かを決定する工程と、
前記ユーザから対話を受信することなく前記オンライン・システムが前記対話が受信された前記閲覧クライアント・デバイスが前記アプリケーションによってサポートされる前記デバイスとは異なるデバイス・タイプを有すると決定することに応じて、前記ユーザから対話を受信することなく、前記オンライン・システムが、前記ユーザの受信クライアント・デバイスが前記ユーザのプロフィール情報に記憶されている前記ユーザの前記複数のクライアント・デバイスのデバイス識別子を用いる前記アプリケーションによってサポートされるデバイス・タイプを有すると識別する工程と、
前記ユーザから対話を受信することなく前記識別を行うことに応じて、前記オンライン・システムから前記受信クライアント・デバイスに第２の通知を送信する工程であって、前記第２の通知は、前記受信クライアント・デバイスに前記アプリケーションをインストールするためのリンクを含む、工程と、を備える方法。
【請求項９】
前記アプリケーションに対する前記参照は、前記アプリケーション・プロバイダに関連付けられているサードパーティ・ウェブサイトに対するリンクを含む、請求項８に記載の方法。
【請求項１０】
前記受信クライアント・デバイスは、モバイル・デバイスである、請求項８に記載の方法。
【請求項１１】
前記オンライン・システムにおいて、前記アプリケーション・プロバイダによって提供される前記アプリケーションに対する前記参照を含む前記通知を生成する工程は、
前記オンライン・システムにおいて、前記アプリケーション・プロバイダからアプリケーションに関連付けられている情報を受信する工程と、
受信される情報に基づき前記アプリケーション・プロバイダによって提供される前記アプリケーションに対する前記参照を含む前記通知を生成する工程と、を含む、請求項８に記載の方法。
【請求項１２】
前記オンライン・システムにおいて、前記アプリケーション・プロバイダによって提供される前記アプリケーションに対する前記参照を含む前記通知を生成する工程は、前記アプリケーション・プロバイダから前記通知を受信する工程を含む、請求項８に記載の方法。
【請求項１３】
前記閲覧クライアント・デバイスおよび前記受信クライアント・デバイスは異なるデバイス・タイプを有する、請求項１２に記載の方法。
【請求項１４】
前記命令は、前記オンライン・システムに関連付けられており、かつ、前記受信クライアント・デバイス上で実行中であるアプリケーションによって実行されるように構成されている、請求項８に記載の方法。
【請求項１５】
前記命令は、前記受信クライアント・デバイス上で実行中のネイティブ・アプリケーションによって実行されるように構成されている、請求項８に記載の方法。
【請求項１６】
命令を含む非一時的なコンピュータ可読記憶媒体であって、前記命令は、プロセッサによる実行時、前記プロセッサに、
オンライン・システムにおいて、前記オンライン・システムのユーザのプロフィールを記憶する工程であって、前記プロフィールは、前記ユーザの複数のクライアント・デバイスを識別する情報を含む、工程と、
前記ユーザに対し関連付けられている閲覧クライアント・デバイスに前記オンライン・システムから第１の通知を送信する工程であって、前記第１の通知は、アプリケーション・プロバイダによって提供されるアプリケーションに対する参照を含む、工程と、
前記ユーザの前記閲覧クライアント・デバイスから前記アプリケーションをインストールすることのリクエストを受信する工程と、
前記リクエストに応じて、前記ユーザから対話を受信することなく、前記オンライン・システムが、前記対話が受信された前記閲覧クライアント・デバイスが前記アプリケーションによってサポートされるデバイス・タイプを有するか否かを決定する工程と、
前記ユーザから対話を受信することなく前記オンライン・システムが前記対話が受信された前記閲覧クライアント・デバイスが前記アプリケーションによってサポートされる前記デバイスとは異なるデバイス・タイプを有すると決定することに応じて、前記ユーザから対話を受信することなく、前記オンライン・システムが、前記ユーザの受信クライアント・デバイスが前記ユーザのプロフィール情報に記憶されている前記ユーザの前記複数のクライアント・デバイスを用いる前記アプリケーションによってサポートされるデバイス・タイプを有すると識別する工程と、
前記ユーザから対話を受信することなく、前記オンライン・システムから前記受信クライアント・デバイスに第２の通知を送信する工程であって、前記第２の通知は、前記受信クライアント・デバイスに前記アプリケーションをインストールするためのリンクを含む、工程と、を行わせる、媒体。